(57)【特許請求の範囲】
【請求項１】
橋梁の幅方向に緊張材が配置され、プレストレスが導入されているコンクリートの床板を拡幅する方法であって、
前記緊張材の、拡幅する側の側端付近で定着されている定着端から該緊張材の軸線方向に離れた位置であって、該緊張材の緊張力が導入された状態を維持できる範囲で前記定着端に接近した位置において該床版のコンクリートをはつり、前記緊張材を露出させる工程と、
露出した前記緊張材に中間定着具を装着する工程と、
前記床版のコンクリートをはつった部分の全域に、埋戻し用コンクリートを打設し、前記中間定着具を埋め込んでコンクリートの床版と一体に固定する工程と、
前記緊張材の拡幅する側の定着端を覆うコンクリートをはつり、既存の定着具を除去するとともに、該緊張材の端部の接続具を装着することができる長さを露出させる工程と、
該緊張材に接続具を装着し、延長用緊張材を接続する工程と、
前記床版に連続し、該床版の拡幅部分にコンクリートを打設する工程と、
打設した拡幅部分のコンクリートが硬化した後、前記延長用緊張材に緊張力を導入して拡幅部分のコンクリートにプレストレスを導入する工程と、を含むことを特徴とする床版の拡幅方法。
【請求項２】
前記接続具は、中空孔内に前記緊張材が挿通される円筒状の雌コーンと、前記雌コーンの中空孔の内周面と前記緊張材の外周面との間に挿入されるくさび状の雄コーンと、前記雌コーンの外周面に形成された雄ネジにねじり合わされるナットと、を有するものとし、
前記雌コーンを把持して前記緊張材を緊張し、前記中間定着具から該接続具までに緊張力を導入する工程と、
前記ナットを回転し、前記接続具を介して前記緊張材を定着する工程と、を含むことを特徴とする請求項１に記載の床版の拡幅方法。
【請求項３】
前記緊張材は、該橋梁の軸線方向に所定の間隔をあけて複数が配置されており、
前記床版のコンクリートをはつって前記緊張材を露出させる工程は、複数の前記緊張材の一本おきに行い、
前記中間定着具を装着する工程及び前記埋戻し用コンクリートを打設する工程を行って該埋戻し用コンクリートが硬化した後に、隣接する前記緊張材を露出させる工程を行うことを特徴とする請求項１又は請求項２に記載の床版の拡幅方法。
【発明の詳細な説明】
【技術分野】
【０００１】
本発明は、既設の橋梁のコンクリート床版を拡幅する方法に係り、特に床版の幅方向の緊張材が配置され、プレストレスが導入されている床版を拡幅する方法に関するものである。
【背景技術】
【０００２】
既設の橋梁について、その機能を向上・改善するために車道幅又は路肩の幅を拡大する必要が生じることがある。橋梁がコンクリート床版を有するものであるときには、コンクリートの床版を拡幅することになる。橋梁の幅方向に緊張材が配置され、プレストレスが導入されているコンクリート床版では、拡幅する側の側端部をはつり、鉄筋等を接続して新たなコンクリートを連続するように打ち足すとともに、緊張材を配置して新たに打ち足したコンクリートにもプレストレスを導入することが望まれる。
【０００３】
床版を拡幅するために打ち足したコンクリートに緊張材を配置し、プレストレスを導入する方法は、例えば特許文献１又は特許文献２に記載されている。
特許文献１に記載の方法は、既存のコンクリート床版の側端面から水平方向に横穴を穿設し、この横穴にＰＣ鋼棒を挿入するとともにグラウトを注入して硬化させる。このＰＣ鋼棒に、拡幅する部分に配置する緊張材を接続し、新たにコンクリートを打ち足した後に緊張材を緊張して拡幅部分の床版にプレストレスを導入するものである。一般に既存のコンクリート床版に配置された緊張材の定着端部は、定着後に短く切断されており、既存の緊張材に新たな緊張材を接続してプレストレスを導入することは難しい。上記特許文献１に記載の技術では、既存のコンクリート床版に既存の緊張材とは別に新たにＰＣ鋼棒を埋め込んで拡幅部分の緊張材を接続するため、既存の緊張材をそのまま残して新たに打ち足したコンクリートにプレストレスを導入することができる。
【０００４】
特許文献２に記載の方法は、既存のコンクリート床版の拡幅しようとする側縁部のコンクリートをはつり、既存の緊張材の定着具を一旦撤去して、新たな緊張材を接続するものである。拡幅部分のコンクリートを打設して硬化した後に接続した緊張材を緊張し、拡幅部分にもプレストエスを導入するものとなっている。この方法では、既存の床版に埋め込まれている緊張材がグラウト等によって既存の床版のコンクリートに充分に付着され、定着具を撤去しても緊張力の喪失量は少ないことを前提としている。
【先行技術文献】
【特許文献】
【０００５】
【特許文献１】特開２００７−６３７９６号公報
【特許文献２】特開２０１４−１４８８７０号公報
【発明の概要】
【発明が解決しようとする課題】
【０００６】
しかしながら上記先行技術では、次のような解決が望まれる課題がある。
特許文献１に記載の方法では、既存の床版に深い横穴を穿設する必要があり、費用が嵩むとともに既存の床版や既存の緊張材に損傷が生じる可能性がある。また、既存の緊張材とは別途に埋め込まれたＰＣ鋼棒に拡幅部分の緊張材から緊張力が伝達されるため、新旧の床版の接続部付近で複雑な応力状態が生じることが考えられる。
また、特許文献２に記載の方法では、既存の緊張材が配置されたシース内に充分なグラウトが充填されていないと、既存の緊張材の定着具を撤去したときに緊張力の緩みが生じ、既存の床版のプレストレスが不足することになる。
【０００７】
本発明は、上記のような事情に鑑みてなされたものであり、その目的は、既存の橋梁の供用を阻害することを低減しつつ、新たにコンクリートを打ち足した拡幅部分に既存の床版から連続するようにプレストレスを導入して床版を拡幅することができる床版の拡幅方法を提供するものである。
【課題を解決するための手段】
【０００８】
上記課題を解決するために、請求項１に係る発明は、  橋梁の幅方向に緊張材が配置され、プレストレスが導入されているコンクリートの床板を拡幅する方法であって、  前記緊張材の、拡幅する側の側端付近で定着されている定着端から該緊張材の軸線方向に離れた位置であって、該緊張材の緊張力が導入された状態を維持できる範囲で前記定着端に接近した位置において該床版のコンクリートをはつり、前記緊張材を露出させる工程と、  露出した前記緊張材に中間定着具を装着する工程と、  前記床版のコンクリートをはつった部分の全域に、埋戻し用コンクリートを打設し、前記中間定着具を埋め込んでコンクリートの床版と一体に固定する工程と、  前記緊張材の拡幅する側の定着端を覆うコンクリートをはつり、既存の定着具を除去するとともに、該緊張材の端部の接続具を装着することができる長さを露出させる工程と、  該緊張材に接続具を装着し、延長用緊張材を接続する工程と、  前記床版に連続し、該床版の拡幅部分のコンクリートを打設する工程と、  打設した拡幅部分のコンクリートが硬化した後、前記延長用緊張材に緊張力を導入して拡幅部分のコンクリートにプレストレスを導入する工程と、を含む床版の拡幅方法を提供する。
【０００９】
この床版の拡幅方法では、既存の緊張材の定着端に近い位置で緊張材を露出し、中間定着具を装着するので、広い範囲で緊張力を維持したまま既存の定着具を撤去することができる。また、中間定着具は緊張材に装着した後、コンクリートで埋め込むことによって既存の床版と一体とするので、少ない工程で中間定着を行うとともに、埋め戻した部分まではプレストレスが維持され、既存の床版の広い範囲について供用を続けることが可能となる。
一方、拡幅部分に配置する延長用緊張材は、既存の緊張材に接続するので新旧のコンクリートに連続してプレストレスを導入することができる。そして、接続には、既存の緊張材の定着具を撤去して接続に必要な範囲に限定して露出させるので、既存のコンクリートをはつる範囲が少なくなる。したがって、中間定着および緊張材の接続のために既存のコンクリートをはつる範囲を少なく抑え、既存の床版に損傷が生じるおそれを低減することができる。
【００１０】
請求項２に係る発明は、請求項１に記載の床版の拡幅方法において、  前記接続具は、中空孔内に前記緊張材が挿通される円筒状の雌コーンと、前記雌コーンの中空孔の内周面と前記緊張材の外周面との間に挿入されるくさび状の雄コーンと、前記雌コーンの外周面に形成された雄ネジにねじり合わされるナットと、を有するものとし、  前記雌コーンを把持して前記緊張材を緊張し、前記中間定着具から該接続具までに緊張力を導入する工程と、  前記ナットを回転し、前記接続具を介して前記緊張材を定着する工程と、を含むものとする。
【００１１】
この床版の拡幅方法では、円筒状の雌コーンとくさび状の雄コーンとを用いることによって既存の緊張材が鋼棒であっても鋼より線であっても新たな緊張材を接続することができ、さらに接続部分で緊張力を導入して定着することができる。そして、緊張力を導入して定着することによって、中間定着具の装着位置から緊張材の接続位置までにプレストレスを再導入するとともに、雄コーンが緊張材と雌コーンとの間に適切に押し込まれ、緊張材が確実に接続された状態を確認することが可能となる。
【００１２】
請求項３に係る発明は、請求項１又は請求項２に記載の床版の拡幅方法において、  前記緊張材は、該橋梁の軸線方向に所定の間隔をあけて複数が配置されており、  前記床版のコンクリートをはつって前記緊張材を露出させる工程は、複数の前記緊張材の一本おきに行い、  前記中間定着具を装着する工程及び前記埋戻し用コンクリートを打設する工程を行って該埋戻し用コンクリートが硬化した後に、隣接する前記緊張材を露出させる工程を行うものする。
【００１３】
この床版の拡幅方法では、複数の既存の緊張材が狭い間隔で配置されているとき、緊張材に導入されている緊張力を確実に維持したまま該緊張材が露出するまでコンクリートをはつる作業を行うことができる。つまり、緊張材を露出するまでコンクリートをはつるときに、はつった部分の周囲が損壊して緊張材の緊張力が失われるのを防止することができる。
【発明の効果】
【００１４】
以上説明したように本発明の床版の拡幅方法では、既存の緊張材に中間定着具を装着する部分と定着部分とをはつり出すだけで、広い範囲で緊張力を維持しながら緊張材を接続し、新たにコンクリートを打設した拡幅部分と既存の床版部分とに連続してプレストレスを導入することができる。
【図面の簡単な説明】
【００１５】
【図１】本発明に係る床版の拡幅方法を適用することができる橋梁及び概橋梁の拡幅された状態を示す概略断面図である。
【図２】図１に示す橋梁の床版を拡幅する工程を示す概略断面図及び概略平面図である。
【図３】図１に示す橋梁の床版を拡幅する工程を示す概略断面図及び概略平面図である。
【図４】図１に示す橋梁の床版を拡幅する工程を示す概略断面図及び概略平面図である。
【図５】図２から図４までに示す床版の拡幅方法で用いることができる中間定着具を示す側面図、正面図及び平面図である。
【図６】図２から図４までに示す床版の拡幅方法で用いることができる緊張材の接続具を示す断面図である。
【図７】図２から図４までに示す床版の拡幅方法で用いることができる中間定着具の他の例を示す側面図、正面図及び平面図である。
【図８】図２から図４までに示す床版の拡幅方法で用いることができる接続具の他の例を示す断面図である。
【図９】本発明の床版の拡幅方法を適用して拡幅された床版の他の態様を示す概略断面図である。
【発明を実施するための形態】
【００１６】
以下、本発明の実施の形態を図に基づいて説明する。
図１は、本発明の床版の拡幅方法を適用することができる橋梁及び該橋梁の拡幅された状態を示す概略断面図である。
この橋梁は、コンクリートからなる複数の主桁１を有するものであり、その上部はコンクリートの床版２と連続するものとなっている。コンクリートの床版２は全ての主桁１を連結するように形成されており、床版内には橋梁の幅方向に緊張材３が配置されている。この緊張材３に緊張力を導入し、床版２の両側端部で定着することによってプレストレスが導入されている。
【００１７】
本発明の床版の拡幅方法は、このような橋梁の拡幅に適用することができるものであり、例えば図１（ｂ）に示すように、片側へ張り出した部分の床版を延長して床版２を拡幅することができる。この拡幅された部分２ｂは、既存の床版２ａに連続するように新たなコンクリートが打設され、既存の緊張材３に接続された新たな緊張材４を緊張して拡幅部分２ｂにもプレストレスが導入されている。
【００１８】
次に上記橋梁の床版を拡幅する方法の一実施形態について説明する。
床版を拡幅しようとする側の側端付近で緊張材３の定着端から該緊張材３の軸線方向に離れた位置で、図２（ａ）及び図２（ｂ）に示すように、床版２ａのコンクリートをはつって緊張材３を露出させる。床版２ａのコンクリートをはつる位置は、緊張材３が露出するまではつっても該緊張材３の緊張力が導入された状態を維持できる範囲で、できるだけ接近した位置とする。
床版のコンクリートをはつる位置が定着端に接近した位置であることによって橋梁の供用が制限される範囲を小さくすることができるが、定着端に接近しすぎた位置でコンクリートをはつると緊張材３から作用する力で定着端付近のコンクリートが損壊するおそれが生じる。定着端付近のコンクリートが損壊すると、緊張材３の緊張力に緩みが生じ、床版２のプレストレスが不足する可能性が生じる。したがって、緊張材３が露出するまではつっても緊張材３の緊張力が維持される範囲でできるだけ定着端に近い位置でコンクリートをはつり、緊張材３を露出させるものである。
【００１９】
緊張材３が露出されると、図２（ｃ）及び図２（ｄ）に示すように、この部分に中間定着具１０を装着する。中間定着具１０は緊張材３に固着され、この中間定着具１０を介して緊張材３の緊張力を床版２ａのコンクリートに伝達することができるものであり、例えば図５に示すものを用いることができる。
図５に示す中間定着具１０は、緊張力が導入されている緊張材３の中間部分に装着されるものであり、二つの半割ブロック１１，１２からなる定着ブロック１３と、二つの半割ブロック１１，１２を互いに結合して一体とする結合手段である複数のボルト１４と、定着ブロック１３を緊張材３に固定するためのくさび１５と、を備えるものである。二つの半割ブロック１１，１２はいずれも鋼からなるものであり、外形がほぼ直方体となっている。そして、これらを重ね合わせたときに、これらの半割ブロック１１，１２の間に断面形状がほぼ円形となる中空孔１６が形成されるものとなっている。
【００２０】
二つの半割ブロック１１，１２にはそれぞれ複数のボルト孔１７，１８が設けられており、これらは二つの半割ブロック１１，１２の間に形成された中空孔１６の両側に配列されている。そして、第１の半割ブロック１１に設けられたボルト孔１７に挿通したボルト１４を、第２の半割ブロック１２に形成されて内周面に雌ネジが形成されたボルト孔１８にねじ込み、締め付けることによって第１の半割ブロック１１と第２の半割ブロック１２とを一体に結合することができるものとなっている。
【００２１】
上記中空孔１６は、互いに結合される半割ブロック１１，１２の対向する面にそれぞれ断面が半円状となる溝を形成したものであり、二つの半割ブロック１１，１２を緊張力が導入された状態の緊張材３の両側から対向させ、緊張材３が溝内にある状態で結合することにより、中空孔１６内に緊張材３が挿通された状態とすることができるものである。中空孔１６の内径は、該中間定着具１０によって緊張材３を定着したときに緊張材３が引っ張られる方向（図５中に矢印Ａで示す方向）の上流端から所定の長さの範囲で内径が徐々に縮小されるものとなっている。
【００２２】
上記くさび１５は、複数に分割されてそれぞれが一端から他端にかけて断面が縮小する形状となっており、前記定着ブロック１３の中空孔１６の内径が縮小される範囲で、該中空孔１６の内周面と緊張材３との間に差し入れられる。これにより、定着ブロック１３を緊張材３に強固に固定することができるものとなっている。
【００２３】
中間定着具１０が緊張材３に固着されると、図３（ａ）、図３（ｂ）に示すように、緊張材３を露出するためにコンクリートをはつった部分に未硬化のコンクリートを打設し、中間定着具１０を埋め込んで既存の床版２ａのコンクリートと一体とする。このとき、中間定着具１０の緊張材３が緊張される側の端面と既存の床版２ａのコンクリートとの間には新たに打設するコンクリートが確実に充填されて、中間定着具１０から作用する支圧力が既存のコンクリートに確実に伝達されるものとする。また、中間定着具１０の緊張材３が緊張される側の端面と既存のコンクリートとの間に、別途にモルタル等を充填するものであってもよい。
【００２４】
中間定着具１０を埋め込むように打設したコンクリートが硬化した後、既存の緊張材３の定着部のコンクリート２ｃをはつり、定着具５を露出させる。そして、図３（ｃ）、図３（ｄ）に示すように、定着具５を撤去して緊張材３は接続具を装着することができる長さが露出するものとする。これにともない、既存の緊張材３に導入されて定着具５によって床版２ａのコンクリートに定着されていた緊張力が解放され、中間定着具１０を介して床版２ａのコンクリートに定着されるものとなる。つまり、緊張材３の定着具５が撤去された端部から中間定着具１０までは、緊張力が解放される。
【００２５】
露出した緊張材３の端部には図４（ａ）、図４（ｂ）に示すように、緊張材の接続具２０が装着される。この接続具２０は拡幅部分の緊張材４を接続する前に、該接続具２０を把持して既存の緊張材３を緊張し、既存の床版２ａのコンクリートに定着することができるものとなっている。このように既存の緊張材３を緊張し、定着することによって緊張材３の端部から中間定着具１０が設けられた位置までに再び緊張力を導入し、既存の床版２ａには拡幅しようとする端縁付近までプレストレスが導入されている状態に戻すことができる。
【００２６】
上記接続具２０は、例えば図６に示すものを用いることができる。
この接続具２０は、図６（ａ）に示すように、円筒状となった外周面に雄ネジが形成された雌コーン２１と、雌コーン２１の中空孔内に挿通された既存の緊張材３と中空孔の内周面との間に差し入れられてくさびとして機能する雄コーン２２と、雌コーン２１の外周面に形成された雄ネジにねじり合わされるナット２３と、同じく雌コーン２１の外周面に形成された雄ネジにねじり合わされるととともに、拡幅部分に配置される新たな緊張材４の端部と接続されるカプラー２５と、を備えている。
【００２７】
上記雌コーン２１に設けられた中空孔は、緊張材３が引っ張られる方向の上流側から下流側に向かって内径が縮小するものとなっている。一方、雄コーン２２は複数に分割されたくさび状の部材であり、緊張材３との当接面に凹凸が形成されて緊張材３との間ですべりが生じにくくなっている。この雄コーン２２を緊張材３が引っ張られる方向Ａの上流側から緊張材３と雌コーン２２の内周面との間に押し入れ、図６（ｂ）に示すように雌コーン２１の外周面に緊張用ロッド２６をねじり合わせて緊張することができる。緊張は、ジャッキチェア２８を介してセンターホールジャッキ２７を支圧板２４に当接し、緊張用ロッド２６を把持して行うことができる。これにより緊張材３とともに雄コーン２２が雌コーン２１の中空孔に強く引き入れられ、緊張材３と雌コーン２１とが強固に固定される。そして、さらに緊張してナット２３を回転させ、支圧板２４に当接させることによって既存の緊張材３に再び緊張力を導入した状態で定着することができる。
【００２８】
雌コーン２１にねじり合わされるカプラー２５は、拡幅部分に配置する新たな緊張材４が端部に雄ネジを有するものであるときには、図６（ａ）に示すように拡幅部分の緊張材４がねじり合わされる雌ネジ部を有するものとする。また、鋼より線等のくさびで定着される緊張材が用いられるときには、上記既存の緊張材３を把持するものと同様の雌コーンと雄コーンとを用い、同様に外周面に形成された雄ネジ部にねじり合わせることができる。また、カプラーが新たな緊張材に固着された雌コーンに係止されるものを採用することもできる。
【００２９】
既存の緊張材３に接続具２０が装着され、拡幅部分に配置する緊張材４が接続されると拡幅部分の型枠（図示しない）を設け、鉄筋（図示しない）を組み立てて、図４（ｃ）、図４（ｄ）に示すように、拡幅部分２ｂのコンクリートを打設する。そして、コンクリートが硬化した後に拡幅部分の緊張材４を緊張し、定着具６によって定着する。
【００３０】
このように床版を拡幅することにより、既存の床版２ａから拡幅部分の床版２ｂまで連続する緊張材が配置され、既存の床版２ａから拡幅部分の床版２ｂにかけて連続するようにプレストレスが導入される。これにより、既存の床版２ａの側縁部で損傷が生じたり、複雑な応力状態が発生したりするのを抑制することができる。また、拡幅工事の施工にあっては、既存の床版２ａの広い範囲でプレストレスを維持して橋梁を供用することができる。そして、拡幅する側の側縁付近でコンクリートをはつり、既存の緊張材３を露出させて中間定着具１０で定着するので、コンクリートをはつる範囲を少なく抑えることができるとともに、供用が制限される範囲を少なく抑えることができる。
【００３１】
なお、本発明に係る床版の拡幅方法は、上記実施の形態に限定されるものではなく、本発明の範囲内で適宜に異なる態様で実施することができる。
例えば、中間定着具や接続具は、既存の緊張材及び拡幅部に用いる緊張材の種類等によって適宜に態様の異なるものを用いることができる。
【００３２】
図７は、本発明の床版の拡幅方法で用いることができる中間定着具の他の例を示す側面図、正面図及び平面図である。
この中間定着具３０は、図５に示す中間定着具１０と同様に、二つの半割ブロック３２，３３からなる定着ブロック３１と、二つの半割ブロック３２，３３を互いに結合して一体とする結合手段である複数のボルト３４とを備えるものである。そして、二つの半割ブロック３２，３３の接合部分には緊張材３を挿通する中空孔３５が形成されている。この中空孔３５内に挿通される緊張材３に定着ブロック３１を固定する手段が、本例では中空孔３５内に充填される充填材３６となっている。充填材３６はモルタル等を用いることができる。中空孔３５の内径は緊張材３が引っ張られる方向Ａに縮小していることにより、緊張材３が引っ張られたときに中空孔３５の内周面から緊張材３の中心に向かって圧縮力が作用し、緊張材３をしっかりと把持するものとなっている。
中空孔３５の内径は緊張材３の軸線方向に均等なものとしてもよいが、このときには充填材として膨張性を有するものを用いるのが望ましい。充填後の硬化時に生じる膨張が拘束されることによる圧縮力で緊張材を強く把持するものである。
【００３３】
図８は、本発明の床版の拡幅方法で用いることができる接続具の他の例を示す断面図である。
この接続具４０は、既存の床版に配置された緊張材７として外径が５ｍｍから８ｍｍ程度の鋼線を束ねたものが用いられ、拡幅部分の床版に配置する緊張材８として鋼より線が用いられるときに採用することができるものである。
この接続具４０は、既存の床版に配置されている緊張材７のそれぞれの鋼線７ａが結合される鋼ブロック４１と、この鋼ブロック４１に設けられた鋼線挿通孔のそれぞれに装着されて鋼線７ａを鋼ブロック４１に固定するくさび４２と、上記鋼ブロック４１に連結されるロッド４３と、上記ロッド４３と連結される円筒状の部材であって、拡幅部分の緊張材８が結合される鋼スリーブ４４と、この鋼スリーブ４４の中空孔に挿入された拡幅部分の緊張材８を固定するくさび４５と、で主要部が構成されている。
【００３４】
上記鋼ブロック４１は、鋼線７ａの本数に対応した数の鋼線挿通孔を有しており、鋼線７ａのそれぞれを挿通し、鋼線挿通孔の内周面と鋼線７ａとの間にくさび４２を差し入れることによって鋼線７ａが鋼ブロック４１に結合される。
上記ロッド４３は、一端側に設けられた雄ネジ部を鋼ブロック４１に設けられている雌ネジ部にねじ込んで結合されている。ロッド４３の他端側の雄ネジ部は鋼スリーブ４４の中空孔に形成された雌ネジ部にねじ込んで該鋼スリーブ４４と連結されている。
鋼スリーブ４４の中空孔は、床版を拡幅する側の端面に向かって内径が縮小するものとなっている。この部分の内周面と中空孔内に挿入された緊張材８との間にくさび４５を差し入れて鋼スリーブ４４と拡幅部分の緊張材８とが結合されている。
なお、図８中の符号４７は、バネ４６を介してくさび４２が鋼線挿通孔から抜け出すのを押さえ付ける押さえ板である。
【００３５】
図８に示すように、拡幅部分に配置する緊張材８として鋼より線が用いられていると、緊張力の導入によって鋼より線の撚りが緩和される、いわゆる撚り戻しが生じ、接続具４０が緊張材８の軸線回りに回転する虞がある。鋼より線から回転しようとする力が伝達されるとロッド４３と鋼スリーブ４４とをねじり合わせた部分、又はロッド４３と鋼ブロック４１とをねじり合わせた部分にゆるみが生じたり、既存の緊張材７が備える複数の鋼線７ａがねじれたりすることがある。これを抑止するための回転拘束部材が設けられている。回転拘束部材は上記鋼スリーブ４４に固定された第１の角形管部材４８と、床版のコンクリートに固定された第２の角形管部材４９とを備え、第１の角形管部材４８が第２の角形部材４９の内側に挿入されている。これにより、緊張材８の軸線方向に接続具４０と床版のコンクリートとが相対的に移動するのを許容するとともに、緊張材８の軸線回りに接続具４０が回転するのを拘束するものとなっている。
【００３６】
一方、以上に説明した実施形態ではコンクリートの床版の張り出した部分を延長するように拡幅するものであるが、このように床版を拡幅するものに限定されず、拡幅することによって張り出し長が大きくなるときには、図９に示すような態様で床版を拡幅することもできる。
図９（ａ）に示す例は、拡幅した床版５１の下側を増厚又は部分的に増厚したリブ５２を設けて補強するものである。また、図９（ｂ）に示すように張り出し部分に隣接する桁５５の下部から斜め支持材５４によって拡幅した床版５３を支持することもできる。さらに、図９（ｃ）に示す例は、床版５６とともに桁５７を増設して床版５０を拡幅するものである。
【符号の説明】
【００３７】
１：主桁，  ２：床版，  ２ａ：既存の床版，  ２ｂ：床版の拡幅部分，  ３：既存の緊張材，  ４：拡幅部分の緊張材，  ５：既存の定着具，  ６：拡幅部分の定着具，  ７：既存の緊張材，  ８：拡幅部分の緊張材，
１０：中間定着具，  １１：第１の半割ブロック，  １２：第２の半割ブロック，  １３：定着ブロック，  １４：ボルト，  １５：くさび，  １６：中空孔，  １７：ボルト孔，  １８：ボルト孔，
２０：接続具，  ２１：雌コーン，  ２２：雄コーン，  ２３：ナット，  ２４：支圧板，  ２５：カプラー，  ２６：緊張用ロッド，  ２７：センターホールジャッキ，  ２８：ジャッキチェア，
３０：中間定着具，  ３１：定着ブロック，  ３２：第１の半割ブロック，  ３３：第２の半割ブロック，  ３４：ボルト，  ３５：中空孔，  ３６：充填材，
４０：接続具，  ４１：鋼ブロック，  ４２：くさび，  ４３：ロッド，  ４４：鋼スリーブ，  ４５：くさび，  ４６：ばね，  ４７：押さえ板，  ４８：第１の角形管部材，  ４９：第２の角形管部材，
５０：既存の床版，  ５１：拡幅した床版，  ５２：リブ，  ５３：拡幅した床版，  ５４：斜め支持材，  ５５：桁，  ５６：拡幅した床版，  ５７：増設した桁
【図１】
0006721940.tif 000002
【図２】
0006721940.tif 000003
【図３】
0006721940.tif 000004
【図４】
0006721940.tif 000005
【図５】
0006721940.tif 000006
【図６】
0006721940.tif 000007
【図７】
0006721940.tif 000008
【図８】
0006721940.tif 000009
【図９】
0006721940.tif 000010